(57)【特許請求の範囲】
【請求項１】
シャワーヘッドと一体に形成した接続部材の外周に抜止め溝を形成し、混合水栓に取り付けた吐水管の連結部材に前記抜止め溝と向かい合う係合孔を形成し、抜止めリングを係合孔及び抜止め溝に嵌合してシャワーヘッドと吐水管の抜止めを行うシャワーヘッドの抜止め構造において、前記抜止めリングは、基部と、基部の両端に形成され前記係合孔及び抜止め溝に嵌合する一対の把持片とを備えた略コ字形に形成し、前記基部は、中間部を内側へ湾曲させ中間部から外側に向けて工具掛け部を突出して形成し、該工具掛け部の左右両側から一対の把持片と同一方向に工具を差し込み可能としたことを特徴とするシャワーヘッドの抜止め構造。
【発明の詳細な説明】
【０００１】
【発明の属する技術分野】
本発明は、混合水栓の吐水管先端に装着されるシャワーヘッドに関する。
【０００２】
【従来の技術】
従来、混合水栓の吐水管先端にシャワーヘッドを回転自在に装着したものとして公知のものに特開平８−２７５８９８号公報の図３（本願図面の図７）のものがある。この図７について簡単に説明すると、湯水を吐出するシャワーヘッド３１は外方へ突出して挿入軸３２が一体形成されており、該挿入軸３２の外周には抜止め溝３３が形成され、一方、吐水管３４の外周下部には溝孔３５が形成され、シャワーヘッド３１の挿入軸３２を吐水管３４の先端に挿入させて、外側から嵌め込みリング３６を吐水管３４の溝孔３５及びシャワーヘッド３１の抜止め溝３３に嵌め込んでシャワーヘッド３１を吐水管３４に装着可能とし、シャワーヘッド３１を吐水管３４から外すには、嵌め込みリング３６の基部３７の前後両側面に形成した工具掛け凹部３８をペンチ，プライヤー等の工具で挟み、嵌め込みリング３６を引き抜けばよいものである。
【０００３】
上記のものにあっては、嵌め込みリングの工具掛け凹部は基部の両側面で、シャワーヘッドの挿入軸に対し前後に形成されており、ペンチ，プライヤー等の工具の先端で工具掛け凹部を前後から挟んで引き抜く必要がある。しかし、工具掛け凹部は幅が狭く工具の先端で挟みづらいうえ、吐水管及び挿入軸に対し前後両側に形成されているので、図８に示すようにシャワーヘッド３１の下から工具３９で挟もうとすると、工具３９の両アーム４０は嵌め込みリング３６に対し前後に位置することになり、通常の工具ではシャワーヘッド３１の外周に当たってしまい専用工具でないと外せなくなる恐れがあり、作業性の悪いものであった。
【０００４】
【発明が解決しようとする課題】
本発明が解決しようとする課題は、シャワーヘッドと吐水管を抜止めリングにより抜止めを行うシャワーヘッドの抜止め構造において、抜止めリングの取り外しを容易に行えるようにすることである。
【０００５】
【課題を解決するための手段】
本発明は請求項１では、シャワーヘッドと一体に形成した接続部材の外周に抜止め溝を形成し、混合水栓に取り付けた吐水管の連結部材に前記抜止め溝と向かい合う係合孔を形成し、抜止めリングを係合孔及び抜止め溝に嵌合してシャワーヘッドと吐水管の抜止めを行うシャワーヘッドの抜止め構造において、前記抜止めリングは、基部と、基部の両端に形成され前記係合孔及び抜止め溝に嵌合する一対の把持片とを備えた略コ字形に形成し、前記基部は、中間部を内側へ湾曲させ中間部から外側に向けて工具掛け部を突出して形成し、該工具掛け部の左右両側から一対の把持片と同一方向に工具を差し込み可能としたものである。
【０００６】
【発明の実施の形態】
以下、本発明の実施の形態を図に基づいて詳細に説明する。
本実施例の混合水栓１は流し台，洗面台等に固定され、図１に示すように吐水管２が水平方向に旋回可能に取り付けられており、レバー５の操作により吐水管２を通過した湯水を外部へ供給可能としている。吐水管２の先端にはビス４により連結部材３を結合し、該連結部材３の先端には抜止めリング２１によりシャワーヘッド６が装着されている。
【０００７】
前記シャワーヘッド６は樹脂で形成され、図２に示すように内部に下流側通水路１０を設けた略円筒状の接続部材９をヘッド本体７と一体に形成し、接続部材９の外周には前記連結部材３と向かい合う先端面１１からヘッド本体７のフランジ面８に向けて順に、シール用のＯリング１３を装着するための環状のＯリング溝１２、後述する抜止めリング２１が嵌合する環状の抜止め溝１４が軸方向に併設して形成されており、該抜止め溝１４と前記フランジ面８の間には、接続部材９の外周面の一部を上部に突出して、シャワーヘッド６の回り止め用の突起１５を形成している。
【０００８】
前記連結部材３は樹脂で形成され、図３に示すように内部に上流側通水路１６を設けた略円筒状で、前記シャワーヘッド６の接続部材９と向かい合う出口側に、該接続部材９の突起１５と当接してシャワーヘッド６の回転角度を規制するためのストッパー１８，１８を両端に形成した円弧状の係合突部１７を、内周面下部に略半周にわたって形成し、シャワーヘッド６は突起１５が連結部材３の内周面上部に係合し、突起１５が係合突部１７の何れかのストッパー１８に当接する範囲内で回転可能としている。
【０００９】
前記係合突部１７の奥には、抜止めリング２１が嵌合する円弧状の係合孔１９を下部に開口し、該係合孔１９の奥の内周に形成した摺接面２０に、前記接続部材９のＯリング溝１２に装着したＯリング１３が水密に摺接する。
【００１０】
前記抜止めリング２１は弾性力を備えた樹脂で形成され、図４に示すように基部２２の両端から略直角になるように一対の把持片２４，２４を備えた略コ字形に形成し、基部２２を支点として両把持片２４，２４は拡径，縮径方向に弾性変形可能で、両把持片２４，２４の先端側は内側の開口部２５に向けて屈曲してあり、該開口部２５の開口幅は接続部材９の抜止め溝１４より小さくしている。前記基部２２は中間部を開口部２５に向けて内側へ突出するように湾曲させた弓状で、中間部から外側に向けて縦長の工具掛け部２３を突出して形成している。従って、工具掛け部２３の左右両側は内側に湾曲しているので、抜止めリング２１をシャワーヘッド６から外すには、ペンチ，プライヤー等の工具の先端を工具掛け部２３の左右両側から奥深くまで差し込み、挟んで引き抜くことが可能である。
【００１１】
この抜止めリング２１はシャワーヘッド６の接続部材９を吐水管２に結合した連結部材３の上流側通水路１６に装着した後に、連結部材３の係合孔１９に差し込むと、図５に示すように両把持片２４が開口部２５を通じて接続部材９の抜止め溝１４側面に弾力的に嵌合し、基部２２が連結部材３の係合孔１９に隙間なく係合し、シャワーヘッド６は連結部材３と結合し抜止めがされ、取り付けが完了する。
【００１２】
この時、シャワーヘッド６は接続部材９の突起１５が、連結部材３の係合突部１７に形成した何れかのストッパー１８に当接する範囲内で回転可能である。
【００１３】
次にシャワーヘッド６を吐水管２から外すには、抜止めリング２１をシャワーヘッド６及び連結部材３から引き抜けばよいが、抜止めリング２１の工具掛け部２３は基部２２を湾曲させて左右両側からペンチ，プライヤー等の工具２６の先端で挟めるようにし、しかも図６に示すように工具２６の両アーム２７，２７の軸面２８と上流側，下流側各流路１０，１６が垂直となるように位置させて工具掛け部２３を挟むことで、抜止めリング２１を外す際に工具２６がシャワーヘッド６に当たる恐れがなく、工具２６で抜止めリング２１の工具掛け部２３を容易に挟んで引き抜くことができ、シャワーヘッド６を連結部材３から引き離すことができる。
【００１４】
【発明の効果】
本発明は請求項１では、シャワーヘッドと一体に形成した接続部材の外周に抜止め溝を形成し、混合水栓に取り付けた吐水管の連結部材に前記抜止め溝と向かい合う係合孔を形成し、抜止めリングを係合孔及び抜止め溝に嵌合してシャワーヘッドと吐水管の抜止めを行うシャワーヘッドの抜止め構造において、前記抜止めリングは、基部と、基部の両端に形成され前記係合孔及び抜止め溝に嵌合する一対の把持片とを備えた略コ字形に形成し、前記基部は、中間部を内側へ湾曲させ中間部から外側に向けて工具掛け部を突出して形成し、該工具掛け部の左右両側から一対の把持片と同一方向に工具を差し込み可能とした。従って、シャワーヘッドを吐水管から外す際に、工具と抜止めリングを同一垂直線上に位置させて工具掛け部を容易に挟むことができ、工具がシャワーヘッドに当たることがなく通常のペンチ，プライヤー等の工具により抜止めリングを引き抜くことができ、作業性が向上する。
【００１５】
また、前記抜止めリングの基部は、中間部を内側へ湾曲させ中間部から外側に向けて工具掛けを突出して形成したので、工具の先端で工具掛けを深くから挟むことができ、抜止めリングを容易に引き抜くことができる。
【図面の簡単な説明】
【図１】  シャワーヘッドを混合水栓の吐水管に装着した状態の一部側断面図である。
【図２】  シャワーヘッドの斜視図である。
【図３】  連結部材の斜視図である。
【図４】  抜止めリングの正面図である。
【図５】  図１におけるＸ−Ｘ線の縦断面図である。
【図６】  抜止めリングを工具により引く抜く場合の説明図である。
【図７】  従来技術の説明図である。
【図８】  従来の嵌め込みリングを工具により引き抜く場合の説明図である。
【符号の説明】
１                      混合水栓
２                      吐水管
３                      連結部材
６                      シャワーヘッド
９                      連結部材
１４                    抜止め溝
１９                    係合孔
２１                    抜止めリング
２２                    基部
２３                    工具掛け部
２４                    把持片
【図１】
0003760067.tif 000002
【図２】
0003760067.tif 000003
【図３】
0003760067.tif 000004
【図４】
0003760067.tif 000005
【図５】
0003760067.tif 000006
【図６】
0003760067.tif 000007
【図７】
0003760067.tif 000008
【図８】
0003760067.tif 000009